(57)【要約】  Ｘ線、光子又は中性子のビームを導くナノチューブ素材の装置であって、ビーム源及び少なくとも一つのナノチューブを含む。各ナノチューブは光入口を有し、当該光入口における中心軸方向の突出がビーム源と交差する。各ナノチューブは、当該ナノチューブの束の入口が点形状ビーム源を向くように、当該ナノチューブの長さに沿って変わる内径を有する。当該束は、多層ナノチューブのアレイとして球面状成長プレートから成長することができる。各ナノチューブの壁層数を、成長プレートから離れてよりも成長プレート近くにおいて少なくすることによって、当該束のクリアアパチャが向上する。
2014527629.tif 000002
【特許請求の範囲】
【請求項１】
Ｘ線、光子又は中性子のビームを導くナノチューブ素材の装置であって、
２端間の長さに沿った中心軸線と、前記２端の一方の光入口と、前記２端の他方の光出口とを有し、かつ、前記光入口が入射ビームに向けて配向される自己集合化した少なくとも一つのナノチューブであって、前記少なくとも一つのナノチューブの内表面上の外部全反射を介して前記ビームの方向を変えるべく構成され、かつ、前記長さの少なくとも複数の部分において所定の放射浸透深さを超える壁厚を有する少なくとも一つのナノチューブと、
前記ナノチューブの長さに沿った少なくとも一つの領域と
を含み、
前記領域は、
前記少なくとも一つのナノチューブの中心軸線が前記入射ビームの伝播方向に沿って位置決めされる領域と、
増加するチューブ壁厚を前記２端の少なくとも一方に近接して有する複数のナノチューブの領域であって、隣り合うナノチューブの外側壁がこの領域において互いに接触する領域と、
前記少なくとも一つのナノチューブの中心軸線が湾曲する領域であって、この領域内の異なる位置における局所的な湾曲半径、局所的な内径、及び局所的な外径によってビームが望ましい向きに変えられ、かつ、すべての集合体断面に緊密なナノチューブ充填がされる領域と、
前記中心軸線が直線状であり、かつ、前記少なくとも一つのナノチューブが拡大する内径を有する領域と、
前記複数のナノチューブの中心軸線が直線状であり、かつ、前記ナノチューブは均一な壁厚を有して緊密に充填される領域と
の一つである装置。
【請求項２】
前記少なくとも一つのナノチューブは多壁ナノチューブである、請求項１に記載の装置。
【請求項３】
前記少なくとも一つのナノチューブはコロッサルナノチューブである、請求項１に記載の装置。
【請求項４】
前記少なくとも一つのナノチューブはカーボンナノチューブである、請求項１に記載の装置。
【請求項５】
前記少なくとも一つのナノチューブは複数のナノチューブであり、
前記光入口は第１の点に向けて配向され、かつ、前記光出口は第２の点に向けて配向される、請求項１に記載の装置。
【請求項６】
前記少なくとも一つのナノチューブは複数のナノチューブであり、
前記光入口は第１の点に向けて配向され、かつ、前記光出口は互いに平行に配向される、請求項１に記載の装置。
【請求項７】
前記装置は単数のナノチューブを含む、請求項１に記載の装置。
【請求項８】
前記ナノチューブは、円筒状の内部形状を有する、請求項７に記載の装置。
【請求項９】
前記装置は、互いに同軸に挿入される異なる材料に由来するナノチューブであって、異なる材料のナノチューブが同軸層を形成するナノチューブを含む、請求項８に記載の装置。
【請求項１０】
小さい直径の前記同軸層は、大きい直径の前記同軸層よりも小さな臨界外部全反射角を有する材料から作られる、請求項９に記載の装置。
【請求項１１】
前記少なくとも一つのナノチューブは、内部層が前記光出口において減少する直径となる円錐形状を有する多層ナノチューブである、請求項７に記載の装置。
【請求項１２】
前記ナノチューブはコロッサルナノチューブである、請求項７に記載の装置。
【請求項１３】
前記ナノチューブは円錐状内部形状を有する、請求項７に記載の装置。
【請求項１４】
前記円錐状内部形状は前記光出口に近接した位置にある、請求項１３に記載の装置。
【請求項１５】
前記ナノチューブは、楕円体、放物体又は双曲線体の内部形状を有する、請求項７に記載の装置。
【請求項１６】
前記単数のナノチューブは、外部多壁ナノチューブと同軸に整合した内部多壁ナノチューブを含み、
前記内部多壁ナノチューブと前記外部多壁ナノチューブとは異なる屈折係数を有する、請求項７に記載の装置。
【請求項１７】
前記内部多壁ナノチューブは小さな屈折係数を有する、請求項１２に記載の装置。
【発明の詳細な説明】
【技術分野】
【０００１】
本発明は、ポリキャピラリ光学機器を使用したＸ線回折、Ｘ線分光等のＸ線分析アプリケーションを含む分析器具用として、Ｘ線放射を生成しかつＸ線放射のビーム方向を制御するシステムに関する。
【０００２】
（関連出願の相互参照）
本願は、２０１１年８月６日に出願されたＰＯＬＹＣＡＰＩＬＬＡＲＹ  ＯＰＴＩＣという名称の米国仮特許出願第６１／５１５，８５３号の利益を主張する。
【背景技術】
【０００３】
Ｘ線及び中性子は、材料の多くの特徴を評価するのに有効なプローブ媒体である。材料の構造及び組成を測定するべく、Ｘ線の回折、分光及び顕微鏡検査が広く使用されている。多くのアプリケーションには、標的との相互作用上、制御されたビーム特性を有するＸ線ビームが必要とされ、材料サンプルとの相互作用後に当該ビームを分析するべくＸ線光学機器を必要とするアプリケーションもある。分析器具では、様々なＸ線光学機器が使用される。
【０００４】
極めて広く使用されているＸ線光学機器の一つに、ガラスポリキャピラリ光学機器がある。ガラスポリキャピラリ光学機器は、ある特定の方法で配列された中空ガラスファイバの束を含む。これらの中空ファイバが当該中空ファイバに入るようにＸ線を導くので、Ｘ線ビームが当該ファイバに沿って全外部反射により伝わる。Ｘ線ビーム合焦、コリメーション等を目的とする様々なポリキャピラリ光学機器の設計が存在する。
【０００５】
ポリキャピラリ光学機器は、Ｘ線光子エネルギーの広い範囲内で使用することができるが、実験室の光子エネルギー範囲内（５から２５ｋｅＶ）において様々な利点を有する。数十ステラジアンまでの特有の大きな幾何立体集光角を得ることができる。これにより、光源から発せられるＸ線エネルギーを効率的に利用することができる。さらに、ポリキャピラリ光学機器は、ビームを３次元に形成することができる。
【０００６】
これら２つの特徴により、ポリキャピラリ光学機器は、Ｘ線光学機器の好ましいコンポーネントとされる。代替的な配列として、２つの平面に湾曲する結晶を設けることができるが、その捕捉能力は、ヨハン型結晶の回折平面の角度許容性の制限ゆえに低い。
【０００７】
ポリキャピラリ合焦光学機器は、高いビーム単色性を必要とせず、かつ、収束性が高いビームを利用可能なアプリケーションにおいて使用されるのが好ましい。同様に、ポリキャピラリ型コリメート光学機器は、ビームの発散がそれほど高くない場合、大きなサイズ及び流束のビームを与えることができる。
【０００８】
多くの分析アプリケーションが、ポリキャピラリ光学機器に適しており、ポリキャピラリ光学機器は、マイクロＸ線蛍光分析器、応力及び組織分析用Ｘ線回折計等の多くのアプリケーションにおいて広く使用されている。
【０００９】
ガラスポリキャピラリ光学機器を製造する技術は、その最初の使用以来、著しく進展した。様々な光学機器配列及び形状を作ることができる。単数キャピラリの開口ルーメン及びその壁厚は、マイクロメートルスケールのキャピラリ直径まで広い範囲で変わり得る。他方、ガラスポリキャピラリ光学機器は、いくつかの原理及び技術的限界から自由というわけではない。
【００１０】
キャピラリ技術は、目下のところ、高温プロセスにおいて形成されるガラス材料に限られている。目下のところ、このプロセス中において、内部壁表面の中間及び高空間周波数粗さの良好な制御が利用できる技術は存在しない。粗さを直接測定する度量衡が欠如しているので、粗さの代表的な結果は、目下のところ、異なる粗さパラメータを有する光学機器をモデリングして当該結果を実験データと対比することによって得られている。かかる結果によれば、内部キャピラリ構造が完全ではないことが示されている。かかるパラメータは、さらなる技術向上により改善することができるが、内表面粗さは、将来的には光学的効率に十分な影響を与え得る。
【００１１】
ガラスポリキャピラリの光学機器ほど普遍的ではないが、単数キャピラリの光学機器も同様に使用することができる。単数キャピラリの光学機器のうち、いくつかの典型的な形状が特に一般的である。
【００１２】
直線状単数ガラスキャピラリが、所定のビーム断面積及び発散性を有するＸ線ビームを形成するべく一般的に使用される。２つのピンホールを有するシステムに対して単数の直線状キャピラリが有する一つの利点は、第１のピンホールを通過するが第２のピンホールを外れるビームの一部が、キャピラリ壁からの全外部反射によって単数キャピラリの光経路内に保持されることにある。直線状キャピラリを通る放射浸透のメカニズムは、多数の全外部反射を利用するポリキャピラリシステムに対して同じである。
【００１３】
同様に、円錐状の単数ガラスキャピラリも、Ｘ線放射を集中させるべく使用することができる。より複雑な内部形状、例えば楕円体構成を有するキャピラリにおいては、単数の全外部反射を利用することができる。かかる種類の光学機器は典型的に、ガラス製に限定されるわけではなく他の材料からも作られる。
【００１４】
一次元にナノメートルスケールの幅を有するＸ線ビームを与えるもう一つの特定装置は、Ｘ線導波路である。この装置を通る放射線の結合及び伝播は、波動説によって記述される。しかしながら、設計条件は、３層対称構造に対する物理幾何学的表現θＣｃ＞θＣｇで公式化することができる。ここで、θＣｃ及びθＣｇは、外側クラッドの臨界全外部反射角（θＣｃ）及び導波層の臨界全外部反射角（θＣｇ）である。
【００１５】
ポリキャピラリガラス光学機器と同様に、単数キャピラリの光学機器も、良好な表面精度及び滑らかさから利益を受ける。
【先行技術文献】
【非特許文献】
【００１６】
【非特許文献１】DABAGOV S B ET AL: “On coherent scattering of X-rays in carbon nanotubes,” SPECTROCHIMICA ACTA. PART B: ATOMIC SPECTROSCOPY, NEW YORK, NY, US, US, vol. 59, no. 10-11, 8 October 2004 (2004-10-08), pages 1575-1580, XP004598247, ISSN: 0584-8547, DOI: 10.1016/J.SAB.2004.03.018
【発明の概要】
【００１７】
したがって、Ｘ線光子及び中性子導波路の光学的効率をさらに改善するべく、ガラスキャピラリの新規な代替物を見出すことが望ましい。本発明の第１側面によれば、ビーム源から生じたビームを導く装置が、少なくとも一つのナノチューブを含み、その形状は、当該ナノチューブを通って伝播するビームの少なくともビーム形状又は方向を変える。
【００１８】
本発明のさらなる側面によれば、少なくとも一つのナノチューブは一部又は全体がカーボン製である。その寸法は、Ｘ線又は中性子ビームを導くように選択される。
【００１９】
本発明のさらなる側面によれば、少なくとも一つのナノチューブは、光入口がビーム源を向くように配向されるのが好ましい。ビームを形成するべく、少なくとも一つのナノチューブは、例えば、光出口に近接して内径が減少する断面又は円錐状内表面を有する。内径は、ビーム密度を向上させるべく、光入口から光出口に向かって減少する。
【００２０】
本発明のさらなる側面によれば、複数の同軸円筒状壁を有する多層ナノチューブが、単壁ナノチューブよりも光子の損失を低減する。多層ナノチューブの材料は、同じ材料又は異なる材料の複数の層を与えるべく選択される。壁の一以上はカーボンからなる。壁が異なる材料からなる場合、当該材料は、連続する壁の臨界全外部反射角が、中心軸線から径方向外側方向に増加する順序に配列される。
【００２１】
本発明のさらなる側面によれば、多壁ナノチューブの内径は、内側壁を追加又は除去することによって変えることができる。
【００２２】
本発明のさらなる側面によれば、硬Ｘ線よりも大きな臨界全外部反射角を有する光子の波長に対し、コロッサルナノチューブが適切である。
【００２３】
本発明のさらなる側面によれば、本発明に係る装置は、自己集合化ナノチューブの束を含む。
【００２４】
束のナノチューブの少なくとも一部は、同軸壁の数の変化に応じて当該ナノチューブの長さに沿って壁厚が変わる多層ナノチューブである。
【００２５】
本発明のさらなる側面によれば、光入口における当該光入口から離れたものよりも小さな外径及び少数の同軸壁が、光入口におけるナノチューブ束のクリアアパチャを増加させる。
【００２６】
本発明のさらなる側面によれば、ナノチューブ束は、成長プレートからの、特に点形状のビーム源からビームを受ける球面成長プレートからの、同時伝播によって成長することができる。
【００２７】
添付図面に例示されるいくつかの好ましい実施形態の以下の説明により、本発明のさらなる詳細及び利益が明らかとなる。
【図面の簡単な説明】
【００２８】
【図１】アームチェア構造のカーボンナノチューブを示す。
【図２】ジグザグ構造のカーボンナノチューブを示す。
【図３】中間カイラリティのカーボンナノチューブを示す。
【図４】ナノチューブ束におけるカーボンナノチューブの空間的配列を示す。
【図５】多層ナノチューブの一例を示す。
【図６】コロッサルナノチューブの構造を示す。
【図７】図７Ａ、７Ｂ及び７Ｃは、ポリキャピラリ光学機器の合焦及びコリメートの原理を概略的に示す。
【図８】図８Ａ及び８Ｂは、キャピラリ内の全反射の異なるモードを概略的に示す。
【図９】ナノチューブ束の簡略化された断面を、当該束のクリアアパチャを例示するべく示す。
【図１０】点形状ビーム源用に構成されたポリキャピラリ光学機器を集合化するための成長プレートにおけるナノチューブ配列を概略的に示す。
【図１１】成長プレートの周辺において壁厚が増加するナノチューブ集合体を示す。
【図１２】異なる構成のいくつかの領域を有するナノチューブ素材のナノガイドを示す。
【図１３】パターン不規則性の挿入によるナノチューブ直径の変化を概略的に示す。
【図１４】異なる構成のいくつかの領域を有する代替的なナノチューブ素材のナノガイドを示す。
【図１５】内部グラフェン層の追加又は除去による多層ナノチューブ内径の変化を概略的に示す。
【発明を実施するための形態】
【００２９】
この２０年間で開発された全く新しいチューブ状構造体をナノチューブと称する。ナノチューブとの名称は、かかるチューブの厚さが典型的に１マイクロメートル未満の範囲にあることによる。かかるチューブのナノ構造に特有のいくつかの特性は、光及び電子放出素子のような、工業及び建設材料のための補強材のような、熱伝達のための熱伝導媒体のような等、多くの様々な新しい製品アプリケーションに寄与している。
【００３０】
Ｃ（カーボン）はかかる構造の最も一般的な元素であるが、窒化ホウ素、酸化ケイ素及び希土類フッ化物のような他の材料によるナノチューブも同様に製造されている。この多様性は、様々な有効原子番号の材料の比較的広い選択が利用可能であることを示している。
【００３１】
図１から３に例示されるように、カーボンナノチューブは、シームレスに接続された周縁を有するグラフェンシートが巻かれたものとして記述することができる。グラフェンは、ハニカムパターン１６に配列された単層のカーボン原子なので、ナノチューブは、いわゆるカイラリティを有する。カイラリティとは、グラフェンシートが巻き上げられる方向によって決定され、かつ、ハニカムパターン１６を形成する六角形１２、１２’及び１２”の配向を特徴付ける。
【００３２】
図１は、カーボンナノチューブ１０の、いわゆる「アームチェア」構造を例示する。この構造では、複数の六角形１２それぞれが、当該ナノチューブの周方向に延びる一対の対向側部１４を有する。図２は、いわゆる「ジグザグ」構造を有するナノチューブ１０’の一例である。この構造では、複数の六角形１２’はそれぞれが、当該ナノチューブ１０’の軸方向に延びる一対の対向側部１４’を有する。図３は、中間カイラリティを有するナノチューブ１０”を示す。中間カイラリティでは、複数の六角形１２”はいずれも、純粋に軸方向でもなく純粋に周方向でもない側部を有する。
【００３３】
ナノチューブは、自己集合化によって成長することができる。ナノチューブを成長プレートから成長させる方法は、様々な触媒膜を使用した被覆シリコン基板上への化学気相蒸着を含む。
【００３４】
自己集合によるナノチューブの成長は、壁が、完全結晶の原子面と同様の原子レベルで滑らかな内部壁表面を含むナノチューブをもたらす。以下に詳細に説明されることだが、Ｘ線光学機器のためのポリキャピラリシステムにおける自己集合化カーボンナノチューブの使用は、巨視的な考察によって十分に記述することができる。したがって、Ｘ線光学機器のためのポリキャピラリ構造は、任意のカイラリティのナノチューブを利用することができる。以下では、単壁ナノチューブが、個々のカイラリティにかかわらず、参照番号１０で指定される。さらに、後続の図面では、純粋な例示目的で特定のカイラリティが描かれる。示されるカイラリティはいずれも、本発明の範囲を逸脱することなく他の任意のカイラリティによって置換することができる。
【００３５】
ポリキャピラリ光学機器の製造を目的として、個々のカーボンナノチューブ１０を、図４に例示されるような束に配列することができる。円筒状ナノチューブ１０の最もコンパクトな配列は、例示のとおりの六角状構造において得られる。この配列はまた、入射Ｘ線ビームの光子損失につながるナノチューブ１０同士の間隙１８をも最小にする。
【００３６】
ナノチューブは、単層若しくは単壁のナノチューブ又は多層若しくは多壁のナノチューブとして製造することができる。単壁ナノチューブ１０は、図１〜４に示されるような一層のカーボン原子を有する。
【００３７】
多壁ナノチューブ２０は、互いに内側に配列された複数の同心状ナノチューブ２２、２４及び２６を有する。図５は、かかる多壁ナノチューブ２０を例示する。これは、３つの単壁ナノチューブ２２、２４及び２６からなる。理想的な多壁ナノチューブ２０においては、カーボン原子の個々の層２２、２４及び２６は、互いに共有結合を共有することが全くない。その結果、カーボン原子は、一層内における接続が、異なる層を占めるカーボン原子との接続よりも相当に大きな力によってなされる。
【００３８】
多層カーボンナノチューブは、例えば、スパッタされたニッケル触媒膜を有するタングステン被覆シリコン基板上に、気相蒸着を介して成長させることに成功している。窒素及びアセチレンガスの雰囲気において、温度が６３０から７９０℃の範囲であった。多壁ナノチューブの直径は、基板温度を変えることによって調整することができる。
【００３９】
図６に例示されるように、約４０μｍから約１００μｍの範囲にある大きな直径Ｄを有するコロッサルナノチューブ３０は、多壁ナノチューブ２０に類似する。コロッサルナノチューブの個々の同心層３２及び３４は、コロッサルナノチューブ３０の長さに沿って延びるグラフェンの複数の径方向ウェブ３６によって相互接続されている。これらのウェブ３６は、ナノチューブ構造を安定させ、かつ、通常は、グラファイトにおけるグラフェン層同士の典型的な距離に近似的に対応する距離だけ互いから離れて配列される。その結果、コロッサルナノチューブ３０の同心のグラフェン層３２と３４との間に長手方向のチャネル３８が形成される。チャネル３８は、近似的に矩形又は台形の断面を有する。
【００４０】
図６に示されるコロッサルナノチューブ３０は、比較的低エネルギーの光子に対する基礎的光学素子として使用することができる。低エネルギーの光子は、高エネルギーの光子よりも大きな全外部反射臨界角を有する。コロッサルナノチューブ３０は比較的安定なので、単数キャピラリの光学機器における使用に適している。代替的に、コロッサルナノチューブ３０は、軟Ｘ線用ポリキャピラリ光学機器の一部となり得る。その直径が典型的に、小さな入射角においてのみ全外部反射を受ける短い波長のＸ線にとって最適と考えられているものよりも大きいからである。
【００４１】
以下の考慮は、従来型のポリキャピラリ光学機器及びポリキャピラリナノチューブ構造にも同様に当てはまる。ポリキャピラリ光学機器は主に、Ｘ線ビームの合焦又はコリメートに使用される。図７Ａ及び７Ｂは、ポリキャピラリ配列を利用した光学機器４０及び５０の合焦を示す。図７Ａの配列が点形状ビーム源４２に対して構成される一方、図７Ｂの配列は平行光ビーム５２を合焦するべく構成される。図７Ｃは、点形状ビーム源４２から生じた光を平行光ビーム５２に変換するコリメート光学機器６０を例示する。注目すべきことだが、図７Ｃのコリメートポリキャピラリ光学機器６０は原則的に、図７Ｂに例示される平行光の束に対して反転された合焦光学機器５０である。
【００４２】
以下の記載では光源又は光波が言及されるが、用語「光」は、光子又は中性子と同様に振る舞う粒子ビームを含む広い意味で使用されることを理解すべきであって、電磁波に限られるものとみなすべきではない。同様に、光子又はＸ線を言及するいずれの記載も、同様の振る舞いを示す他の粒子に対して当てはまる。
【００４３】
キャピラリの内側で全外部反射が生じるのは、入射光波が、キャピラリの内側ルーメンから内部キャピラリ壁に浸透し、かつ、方向を変えて当該内表面に戻るからである。全外部反射は、Ｘ線のような放射線に観測される現象である。多くの材料は、Ｘ線のような波長に対し１未満となる屈折率の実成分を有するからである。光波は、全外部反射の後、当該光波の入射角と同一の角度で媒体を出る。媒体の内側における波強度分布は、当該媒体の表面からの距離の指数関数で記述される。浸透深さＺ０は、波強度が１／ｅまで低減する幾何学的な媒体表面下の深さを記述する。「ｅ」は無次元オイラー数であって、近似的に２．７１８２に等しい。
【００４４】
キャピラリの内側における複数の反射を言及するいわゆる複数回反射ポリキャピラリ光学機器は、入ってくる光子の入射角の全範囲が、媒体材料のいわゆる臨界角θＣ未満のままであるという条件において最も効率的に機能する。この文脈では、臨界角θＣとは、反射表面の接線方向にある平面から測定される全反射に対するしきい角度である。かかる定義は、キャピラリシステムに対しては、平面上の全内部反射を扱う古典的な光学機器において使用される場合の用語「入射角」の典型的な定義と異なる。この入射角範囲にある上記浸透深さＺ０は、なんらＸ線光子エネルギーに依存せず、かつ、もっぱら媒体材料、大抵はその質量密度によって定義される。浸透深さＺ０は、カーボンに対する４．１ｎｍから、ガラスに対する３．２ｎｍを経て、重金属に対する１．２ｎｍまで減少する。
【００４５】
図８Ａ及び８Ｂは、複数回反射キャピラリ７０の内側における異なる伝播モードを例示する。ポリキャピラリ光学機器の各単数キャピラリ７０は、Ｘ線光子７２又は７４をその初期入射方向から、キャピラリ７０の光出口において望ましい方向に偏向するべく湾曲させることができる。
【００４６】
明確性及び簡潔性のため、以下の考慮は、図７Ｃに描かれるコリメートされた光学機器６０の原理に適合される。ビーム源４２に近接するキャピラリ端は、点形状ビーム源４２を向くように整合されるのが好ましく、当該キャピラリの対向端は、コリメーションを目的として平行とされる。これが意味するのは、各キャピラリ７０が、以下では光軸Ｘと称される光学機器６０の中心軸Ｘからの径方向距離に依存する特定の曲率まで湾曲されるということである。以下の条件：
Ｒ≧２＊ｄ／θＣ２  （１）
は、すべての反射が臨界角未満の角度で生じることが確保されるように、キャピラリ曲率の半径Ｒを制限する。ここで、ｄはキャピラリ直径、θＣは、反射表面の接線方向にある平面から測定される全外部反射の臨界角である。この表現は、光子伝播中の著しい光子損失を避けるためのキャピラリ光学機器設計の基礎となる。
【００４７】
もう一つの考慮は、図８Ａ及び８Ｂに示されるキャピラリ曲率の半径に依存して、光子伝播の２つの異なるモードが複数回反射光学機器において生じるということである。図８Ａは、直線状の又は「わずかな」湾曲のキャピラリ７０を例示する。キャピラリ壁の対向する側部上で、交互するように複数回の反射が生じる。いわゆる二重壁反射モードである。図８Ｂに示されるように、小さな半径Ｒで湾曲されたキャピラリ７０において、反射は、キャピラリ壁の同じ側部上で繰り返し生じる。いわゆる花輪状反射である。優勢な条件に応じて、透過中の総反射回数ひいては光子損失が変わる。したがって、ポリキャピラリレンズの性能に係るいずれの定量的記述も伝播モードに依存する。簡単な幾何学的分析では、一方のモードから他方のモードへ遷移する条件は：
θｔｒ＝（２ｄ／Ｒ）１／２  （２）
であることが示される。
【００４８】
ここで、θｔｒは、図８Ａの二重壁モードから図８Ｂの花輪状モードへの遷移が生じる場合の、開口直径ｄ及び湾曲半径Ｒの曲率を有するキャピラリに入る光子の入射角である。この観測は、反射キャピラリ壁の接線方向にある平面から測定される入射角θに当てはまる。半径Ｒのキャピラリの外側壁に当たる光子の入射角θがθｔｒを超過する場合に図８Ａの二重壁反射モードが当てはまる一方、θがθｔｒ未満の場合には図８Ｂの花輪状反射が生じる。これが意味するのは、光軸Ｘから径方向に大きな距離で位置するキャピラリが、光軸Ｘに近いキャピラリよりも局所的に小さな湾曲半径Ｒを有することにより、ポリキャピラリ光学機器では双方のモードが典型的に存在するということである。
【００４９】
湾曲半径Ｒはキャピラリ７０の長さにわたって変化するが、近似的な計算を目的とする有用な単純化では、キャピラリ７０の長さＬにわたって一定の湾曲半径Ｒが仮定される。光子入射角θは、円形に湾曲されたキャピラリ７０では変化しないので、伝播モードは伝播中同じままである。キャピラリ透過率の計算をするには、反射回数及び反射率が入射角θの関数としてわかっている必要がある。
【００５０】
簡単な幾何学的分析では、図８Ｂの花輪状反射モードでの反射回数Ｎは、表現：
Ｎ＝Ｌ／（Ｒ＊２＊θ）  （３）
で定義される。ここで、Ｌはキャピラリの長さである。
【００５１】
二重壁反射モードでの反射回数の量Ｎは、表現：
Ｎ＝Ｌ／（Ｒ＊（θｏ−θｉ））  （４）
で定義される。ここで、θｏ及びθｉは、キャピラリの外側（凹面）及び内側（凸面）壁での入射角である。
【００５２】
外側及び内側入射角θｏ及びθｉは、式：
θｏ２＝θｉ２＋２＊ｄ／Ｒ  （５）
に従って互いに関連し合う。
【００５３】
２つの注目すべき観測は表現（３）〜（５）から得られる。
【００５４】
第１に、表現（４）は、内側角θｉがゼロに近づき、かつ、外側角が角θによって表される場合、Ｎ＝Ｌ／（Ｒ＊θ）となる。この表現は、直線状キャピラリでの反射回数の量と一致する。
【００５５】
第２に、表現（３）及び（４）は、反射回数の量がθｔｒにおいて段階状に変化することを示す。すなわち、小さなθ（花輪状反射）から大きなθ（二重壁反射）への遷移を考慮すると、反射回数Ｎは、Ｌ／（Ｒ＊２＊θ）からＬ／（Ｒ＊θ）へ倍増する。しかしながら、注目すべきことだが、入射角θの関数としての反射率は滑らかに変化する。これは、反射壁の材料にかかわらず、凸面内部壁上の入射角θが遷移点でゼロに等しく、かつ、ゼロに等しい入射角θでは反射率が１００％となるからである。ゼロ以外の入射角θの関数としての単数回反射の反射率は、材料の物理的不変性を介したフレネルの公式を使用して計算することができる。
【００５６】
上述の考慮は、以下の簡単な仮定によってコリメートキャピラリレンズの透過率を計算するには十分である。すなわち、光軸を含む２次元軸平面内を伝播する光線のみが考慮され、かつ、焦点にある点形状ビーム源のサイズが無視できる場合である。
【００５７】
単壁ナノチューブ１０は、全反射角において、限られた反射率を与える。単壁ナノチューブ１０は、ハニカムパターン１６に配列されたカーボン原子の一つの原子層のみを含むからである。単層は、カーボンに対して上述した４．１ｎｍの浸透深さＺ０を与えることがない。また、浸透深さＺ０に対する４．１ｎｍという値は、かかる厚さのナノチューブ壁がすべての入射光を反射することを意味するわけではない。上述の浸透深さＺ０の定義によれば、厚さＺ０の層は、無限厚さの層と比べると、光子の１−１／ｅ（すなわち６３％）という一部のみを反射する。このレベルの反射率では、複数回反射を伴う光学機器に対して不満足である。有限壁厚さによる効率の著しい損失を避けるべく、反射率の損失は非常に小さいことが好ましい。所与の入射角θに対してかつ所与のエネルギーに対する無限厚さの媒体の反射率がρである場合、無限厚さの壁上の単数回反射に起因する光子流束損失は（１−ρ）となる。有限厚さによる反射率の付加的損失が値（１−ρ）未満となる有限厚さの壁を得るには、以下の近似的な定量評価を行うことができる。
【００５８】
壁の最小厚さＴは、
Ｔ＝Ｚ０＊ｌｎ（１／（１−ρ））  （６）
として計算することができる。ここで、Ｚ０は浸透深さである。
【００５９】
ゼロから臨界角までの広い範囲の入射角は、ビームが多キャピラリ光学機器を通って伝播する場合に存在するのが典型的である。キャピラリ内側の反射回数は、初期入射角、キャピラリ湾曲、及び伝播メカニズムに依存する。
【００６０】
壁厚を選択するための所定の基準を以下に挙げる。例えば、有限壁厚に起因する反射率損失を、無限壁厚を有する壁からの入射角θＣ／２の単数回反射における光子損失に等しい量にまで制限するには、壁厚Ｔは、酸化ケイ素ナノチューブに対して３０ｎｍ、かつ、カーボンナノチューブに対して３７ｎｍとしなければならない。これは、高い反射率及び透過率を得るべく、恐らくは数百の多壁を有するようにナノチューブを構成できることを意味する。同心壁の数は変わり得る。
【００６１】
以下では、ポリキャピラリ光学機器についての考察が、図７Ｃに例示されるコリメート光学機器に配列された複数のナノチューブに対して適用される。以下の計算に対し、３つの近似が行われている。すなわち、光源から光入口までの距離が４ｍｍであること、ナノチューブ湾曲半径Ｒが一定であること、及び内径ｄがナノチューブ長さＬに沿って一定であることである。
【００６２】
得られたレンズ設計のパラメータ及び透過率を以下の表１に挙げる。
【表１】
2014527629.tif 000003
【００６３】
全く好ましくない条件下での大まかな評価を目的として、各平面において１ラジアンという極めて大きな捕捉角（日常的なガラスレンズに対して典型的に考慮されるものよりも著しく大きな捕捉角）を有するレンズに対して計算が行われた。結果は、こうした極端な条件下であってもレンズ透過率が有用な値に達することを示している。
【００６４】
ナノチューブ素材のポリキャピラリ光学機器の高収率透過及びコンパクトな設計は、好ましくは２００ｎｍ未満の非常に小さなキャピラリ直径ｄを使用することによって可能となる。計算によりさらに明らかなのは、カーボンナノチューブが、小さな有効原子番号を有する材料の高い反射率の結果、考えられた光子エネルギーの範囲において高い透過率を約束するということである。表に透過率の面密度として示されたパラメータは、レンズ透過率と、レンズ出口におけるビーム面積との比である。このパラメータの高い値は、レンズ出口における高い流束密度を表す。これは、いくつかのアプリケーションにとって望ましい。酸化ケイ素ナノチューブは、モリブデン（Ｍｏ）放射の場合にこのパラメータの高い値を約束する。これは、レンズの設計パラメータ及び材料を、所与のアプリケーションのための最適な性能に対してマッチさせ得ることを意味する。
【００６５】
かかる結果を、伝統的なガラスポリキャピラリレンズに対する予測と対比することができる。上述のモデルを、理想的なガラスキャピラリレンズに適用する。理想的なガラスキャピラリレンズは、キャピラリの波立ち又は不整合がない理想的な壁表面を有し、Ｃｕ放射用ナノチューブレンズよりも約１０倍大きい１．５μｍという大きなキャピラリ直径及び０．１μｍという壁厚を有し、計算された透過率の面流束密度が当該ナノチューブレンズよりも約５０倍小さい。これらのパラメータにより、ナノチューブ光学機器の改善は、内部壁に不完全性を有する実際のガラスポリキャピラリ光学機器のいずれよりも、２桁を超える可能性が高い。
【００６６】
すべての例において、光子波長は、キャピラリ直径よりも少なくとも１０００倍小さい。かかる比率は、簡単な幾何学的評価でも合理的な予測が得られることを示す。
【００６７】
Ｘ線ビームを形成するレンズを作るべく、多壁ナノチューブの束が使用される。図９は、かかるナノチューブ束を横切る部分的な概略的断面を示す。上述の透過率計算は、ひとたび光子がナノチューブ３０に入ると、束のナノチューブ３０の一つの内部壁８２に当たる光子を計数する。しかしながら、ナノチューブ束の入口には、２つの因子によって引き起こされる光子損失エリアが存在する。
【００６８】
第１に、ナノチューブは有限壁厚Ｔを有し、開口ナノチューブ断面積Ａ（ルーメン）と、図面にハッチングで示される壁断面積Ｗとの比が、ナノチューブのクリアアパチャを画定する。この例に対し、計算は、ナノチューブ内径ｄと壁厚Ｔとの比Ｋは５であると仮定される。ナノチューブのクリアアパチャは、この場合約５１％である。Ｋの値が例えばＫ＝１０のように大きくなると、ナノチューブのクリアアパチャは約６９％まで増加し得るが、これは、レンズの寸法を近似的に倍増させ、かつ、コリメートビームの流束密度を低減させる。
【００６９】
第２に、複数のチューブ間には隙間１８が存在する。六角状円チューブ配列に対する充填効率は約９１％である。
【００７０】
そうすると、レンズ効率を見出すべく、上の表に挙げられた透過率の値には、５１％と９１％との積に対応するクリアアパチャ係数約０．４６を乗じる必要がある。さらに、約０．１〜０．３の範囲にある（約１０〜３０％に等しい）効率であっても、上述の計算の基礎となった約１ステラジアンという大きな立体捕捉角は魅力的である。
【００７１】
ナノチューブの発見以来、ナノチューブ技術は多大な進展を遂げた。ナノチューブ、特にカーボンナノチューブの無数の有望なアプリケーションゆえに、複数の成長メカニズム及び特定の技術的工程が開発かつ実装されている。これらのいくつかは、ナノチューブＸ線光学機器に関連し、以下に説明される。
【００７２】
カーボン、ポリスチレン、窒化ホウ素、酸化ケイ素、希土類元素のフッ化物のような様々な材料に由来するナノチューブを、大量に製造することができる。ナノチューブは、一貫した構造でかつコンパクトな束で成長させることができる。
【００７３】
いくつかの技術的アプローチを組み合わせることにより、伝統的なガラスキャピラリ技術では達成し得ない特徴及び性能を有するナノチューブ素材の装置を、Ｘ線光子及び中性子を導くように設計かつ構築することができる。
【００７４】
Ｘ線光子及び中性子を導く好ましい装置は、光子又は中性子の全外部反射を目的として自己集合化ナノチューブを利用する。光子を導く素子としての自己集合化ナノチューブの一つの大きな利点は、その原子レベルで滑らかな表面にある。さらに、その成長を予測可能な態様で制御できる可能性により、伝統的なガラスキャピラリ技術を超える精度が得られる。
【００７５】
図１０に示される多壁ナノチューブ９０は、制御可能な内径ｄ及び壁厚Ｔを有して成長させることができる。特に興味があるのは、図１１に示される後続する外側層ｗｉの特定の調整された位置を有する多壁ナノチューブ９０の構成である。
【００７６】
多壁ナノチューブは、互いから指定された間隔で、かつ、成長プレートに対して直交して、すなわち垂直な方向に、成長させることができる。光子を導くナノチューブを集合化するべく、複数のナノチューブの軸は、入射ビームの伝播方向に沿って精密に整合される。
【００７７】
図７Ａから７Ｃにすでに例示したように、最も頻繁に生じるのは２つの場合である。すなわち、平行入射ビーム及び点光源である。
【００７８】
平行入射ビームに対しては、平行ナノチューブを平面成長プレートから成長させることができる。自己集合化ナノチューブの複数の軸はすべて、成長プレート表面に対して垂直であり、かつ、当該成長プレート全体に均一に分散され得る。成長プレートに対して垂直なナノチューブ成長により、それらの軸は、少なくとも成長プレートの周辺において平行となる。
【００７９】
ナノチューブ９０の発散束を得るべく、ナノチューブ９０は、図１０及び１１に示される球面状成長プレート９２から成長させることができる。この設定により、点形状Ｘ線源４２からの放射を捕捉することが意図されるナノチューブ集合体の入口側を適切に位置決めすることができる。
【００８０】
点形状ビーム源との結合が意図されるナノチューブの自己集合化を開始するべく、基礎成長プレートの形状を、図１０及び１１に示されるように球面状とすることができる。成長プレートに近接するエリアが、図１０及び１１に領域１として示される。チューブの軸ｘ１、ｘ２及びｘ３すべてが、成長プレート９２の球面中心に収束する。ナノチューブ９０は、成長プレートから離れると、中心軸ｘｉが湾曲中心軸線を形成するように湾曲形状となり得る。
【００８１】
成長プレート９２が除去された後、点形状ビーム源４２が、ナノチューブ９０に対して球面中心の場所に配置されるのが好ましい。したがって、点形状ビーム源４２は、ナノチューブから突出する複数の中心軸線が交差する点に位置する。入射ビームの他のいずれの角度分布に対しても、成長プレートは、各表面箇所における各光線方向に対して直交する成長表面をなす形状とされる。
【００８２】
限定されることなく、以下の例は、点形状ビーム源４２から生じた発散ビームを導くことが意図されるナノチューブ集合体設計を言及する。以下の説明は、他の任意の発散ビームに対しても類推的に当てはまる。
【００８３】
この態様で成長することができる最小のナノチューブ内径は、約１〜２ｎｍの桁の範囲にある。Ｘ線光子を導くためのナノチューブ内径ｄは、最小ナノチューブ直径よりも約１００倍大きいのが好ましい。かかる寸法とする理由は、十分な全反射を与えるのに適切な壁厚Ｔが、数十ｎｍ程度だからである。したがって、好ましいナノチューブのクリアアパチャを得るには、ナノチューブ内径ｄを、壁厚Ｔよりも５倍から１０倍大きくなるように選択することが好ましい。大きなチューブ直径ｄを実装することにより、大きな湾曲半径Ｒ、大きな装置寸法及び低減された流束密度がもたらされる。
【００８４】
流束密度を改善するべく、レンズのクリアアパチャを、全体的なレンズの寸法を増加させることなく改善できる手順を使用することができる。得られた構造が図１１に示され、領域２で指定される。各多壁ナノチューブ９０の複数の外部層ｗｉの端が、互いに対して変位される。領域１においては、ナノチューブ成長が初期厚さＴ１で開始し、かつ、層ｗ１がナノチューブ９０の最外側層を形成する。成長プレート９２からの距離が増加するにつれて、外側層ｗ２、ｗ３、ｗ４、ｗ５等が各ナノチューブ９０に追加される。各ナノチューブ９０の個々の壁厚Ｔが光子損失を許容可能レベルにまで低減するのに十分となるまで、壁厚Ｔが、Ｔ１からＴ２、Ｔ３、Ｔ４、Ｔ５等へ増加する。この手順により、ナノチューブ内径ｄが小さいままに維持されながら、ナノチューブ壁厚Ｔの漸次的な増加が可能となる。
【００８５】
最初に小さな壁厚Ｔ１が、多壁ナノチューブ９０の入口においては有利である。占められた成長プレート表面に対する開いたアパチャのパーセンテージが、一定の壁厚Ｔを有するナノチューブ束と比べて増加するからである。領域１及び領域２のまさに入口の箇所における薄いナノチューブ壁厚Ｔ１の、全体的な透過の強度に対する影響は無視できる。このエリアでは反射はほとんど生じないからである。成長プレート９２から大きな距離においては、何千回もの反射に対する高い反射率を支援するべく最適なナノチューブ壁厚Ｔを選択することができる。
【００８６】
したがって、ナノチューブ壁厚Ｔは、例えば、領域１にある成長プレートでは上述の浸透深さＺ０の約４から５倍（約４Ｚ０から５Ｚ０）から始まり、ナノチューブのクリアアパチャを低減することなく漸次的に増加して領域２では約１０Ｚ０又は２０Ｚ０となる。図１１の領域２において数が増加する層ｗｉは、各ナノチューブ９０の実際の数の層ｗｉを表すわけではないが、壁厚Ｔが複数の浸透深さＺ０に対応する場合にかなり大きくなる。
【００８７】
好ましい実施形態では、径方向に延びる中心軸線ｘ１、ｘ２及びｘ３に沿ってナノチューブが成長プレート９２から進行するにつれて、壁厚Ｔは、ナノチューブ９０同士間の増加する距離を補償する速度で増加する。この態様では、隣接するナノチューブ９０は、壁厚Ｔｉの各追加層ｗｉの外側層が互いに触れ合う。ナノチューブ９０同士間の接触により、成長プレート近くの集合体の領域２は、剛性となりかつ輪郭がくっきりとする。ナノチューブ集合体の剛性により、成長プレート９２からの集合体の除去が容易となる。ひとたび望ましい壁厚Ｔに到達すると、個々のナノチューブ９０は、図１０に示されるように、互いから分離し、かつ、分離した経路沿いに進行することができる。
【００８８】
この特徴を自己集合化成長メカニズムと組み合わせることにより、集合体においてすべてのナノチューブ９０を精密に位置決めすることができる。同様の精度は、ガラス製のポリキャピラリ光学機器を製造する技術では達成できない可能性が高い。
【００８９】
ナノチューブ集合体のもう一つの好ましい構成は、出射ビームの流束密度に対する改善、及び準平行出射ビームが望ましい集合体出口におけるビーム発散の低減に関する。ビーム発散を低減するべく、キャピラリシステムは一般的に、各キャピラリの出口部分を形成する場合が多い円錐状に拡大する部分を含む。かかる円錐状表面上での複数回反射が生じた後に光子が、当該円錐の中心軸に対して低減された角度で伝播することが知られている。
【００９０】
ガラスポリキャピラリの設計では、この円錐状のキャピラリの拡大がキャピラリの湾曲と組み合わされる場合が多い。これは必ずしも、ナノチューブ集合体においてビーム発散を低減する最適なアプローチというわけではない。
【００９１】
上述のように、ナノチューブ集合体のようなポリキャピラリ光学機器においては、光子伝播の２つのメカニズムが存在する。捕捉角が大きな光学機器において最も頻繁に生じるメカニズムは、花輪状反射である。ナノチューブ直径を拡大することは、花輪状モードで伝播する光子の入射角を低減することにならない。かかる光子は、ナノチューブの対向壁同士間のいずれの角度によっても影響を受けないからである。したがって、Ｘ線ビームをコリメートすることが意図されるナノチューブ集合体にとって好ましいのは、２つの区分けされたエリアを有することである。図１２に示されるように、一つは、領域３で指定される湾曲ナノチューブのエリアであって、光子が花輪状モードで伝播するエリアであり、もう一つは、領域４で指定されるナノチューブ直径が拡大する実質的に直線状のエリアである。
【００９２】
ナノチューブ直径を拡大するべく実現可能な一つの技術が図１３に示される。ハニカムパターン１６において、円筒状ナノチューブ壁となるはずの複数の六角形１２の一つの代わりに七角形９６を挿入することで、ナノチューブ９４の円錐状拡大部分がもたらされる。後続して五角形９８を挿入することにより、ナノチューブ９８は、大きな直径の円筒状の形に戻る。図１２の領域４に示される一連の円錐状拡大部の有効開口角αを、七角形９６及び五角形９８の配列によって制御することができる。ナノチューブ９４の周囲に挿入される七角形９６の数が、個々の円錐状拡大部それぞれの増分開口角を決定する。複数の七角形９６から同一数の五角形９８までの軸方向距離が、円錐状拡大部の長さを決定する。五角形９８から次群の七角形９６までの軸方向距離が、２つの円錐状拡大部間の中間円筒状セクションの長さを決定する。ナノチューブ長にわたる増分円錐状拡大部の所定段を有するナノチューブ直径の遷移を連続的に使用することにより、増分開口角及び中間円筒状部分からなり、かつ、全体的な開口角αを有する準円錐状の全体的な表面が作られる。直径変化の各段は、典型的な原子間距離よりも小さい。原子間距離よりもかなり大きな波長を有するＸ線ビームに対しては、準円錐状表面は滑らかであって全外部反射メカニズムが得られる。
【００９３】
図１３が、明確性のため唯一の拡大段を有する単層ナノチューブ１１０を示す一方、多層ナノチューブの所定軸方向距離にある同軸壁の各一つにおいて、不規則部の挿入を行うこともできる。
【００９４】
いくつかの特徴が、ナノチューブの位置決め及び配列を改善してナノチューブ集合体の性能の改善に寄与するように意図される。
【００９５】
好ましくは、図１２の領域５に示されるように、一定のナノチューブ直径を有するエリアが、コリメート光学機器集合体の出口に配置される。この特徴は、個々のナノチューブ９４の外側層が互いに接触し合うように集合体を圧縮することによってナノチューブ９４が高精度で平行に整合することを可能とする。これにより、領域４にあるチューブの円錐状部分を出口とする低発散のビームが適切に整合することができる。
【００９６】
本発明の代替的な好ましい側面は、図１４に領域６として指定される湾曲エリアにおけるナノチューブ壁厚Ｔの漸次的な増加である。領域６の構成は、図１２に示される領域３と互換可能である。図１４に例示されるように、集合体における個々のナノチューブ１００の壁厚Ｔは、近接するナノチューブの各外側層が領域６を出る前に互いに触れ合う程度まで外側層を追加することによって増加させることができる。この接触により、ナノチューブ１００精密な配列に安定性を与えること、及び集合体の剛性を増加させることができる。領域６における壁厚Ｔの増加は、領域２に対して述べた技術の延長上にあるが、層ｗｉを追加する工程がナノチューブ１００の湾曲状態に適合される修正を伴う。
【００９７】
増加した壁厚が領域６の湾曲セクションに与えられる場合、異なる技術を適用して、図１４に領域７として指定される後続準円錐状拡大部を作ることができる。領域７は、図１２の領域４の代替例を表す。図１４は領域７を例示する。ここで、個々のナノチューブ１００それぞれの内径ｄの拡大に対し、ナノチューブの各内部層を、内側層が終端するたびに先の中間層が内側層になるように次々に不連続にしていくことができる。
【００９８】
図１５は、そのようにして内側層ｗｉを次々に除去することを例示する。各層ｗｉは、その一定の直径を保持する。領域６から出現する多壁ナノチューブ１００の最内層ｗ５は、内径ｄ５を有し、かつ、領域５から所定距離にある第１段で終端する。その後、内径ｄ４を有する次の層ｗ４が第１段から所定距離にある次段で終端し、領域７として指定される準円錐状に拡大する内表面が得られる。これらの段は、領域５の壁厚Ｔ及び内径ｄが達成されるまで、直径ｄ３を有するｗ３、直径ｄ２を有するｗ２等によって繰り返される。単数段から得られる壁厚Ｔの低減は、層ｗｉ同士間の距離に対応する。これらの段はそれぞれ、上述した七角形９６及び五角形９４のハニカムパターン１６への挿入によりもたらされる段よりも大きいが、得られる準円錐状表面は依然として、ほとんどのＸ線波長に対する全外部反射にとって滑らかとみなすことができる。
【００９９】
上述のナノチューブ素材のコリメート装置は、平行ビームを合焦させる光学機器とするべく、ビーム経路を反転させることができる。
【０１００】
上述の領域は、ポリキャピラリナノチューブ集合体において選択的に組み合わせることができる。例えば、点形状ビーム源の一方の焦点からの放射を他方の焦点まで向かわせるには、領域１及び２並びに領域６を含むことができる。この場合、ナノチューブの外径は、当該ナノチューブが互いに平行な整合に到達した後に領域２が反転され、領域６に後続して減少する。ポリキャピラリ光学機器の出口におけるナノチューブの適切な位置及び方向は、製造中のナノチューブ外径の精密な制御及び緊密な集合化によって確保することができる。ナノチューブ内径は、領域４又は領域７に対して説明された反転技術によって、小さな焦点を目的として低減させることができる。
【０１０１】
点形状ビーム源のための合焦光学機器を与える代替的方法は、２つのコリメートナノチューブ装置を、第２装置が、第１装置によりコリメートされたビームを合焦するべく反転されるように結合することを伴う。異なるタイプの結合を実装することができる。２つの集合体が精密に整合された緊密な結合により、双方の集合体のナノチューブの軸が一致する。結合の代替的方法は、第１装置の出口ナノチューブ内径とビーム発散との比と同等の又はその比を超過する距離において生じ得る。かかる距離では、ビーム分布が均一となる結果、第２装置のクリアアパチャゆえに生じる効率損失がかなり低くなる。これは、ナノチューブが、第２集合体の当該断面において大きな内径を有するからである。
【０１０２】
断面が非円形のナノチューブは、特定の形状、例えば「扇形」ビームを形成するには好ましいものとなり得る。知られていることだが、ナノチューブは、軸方向に比べて径方向の強度がかなり低い。この特徴は、例えば、ナノチューブ集合体に径方向圧縮力を適用することによって、ナノチューブの形状を円形から楕円形に変化させるべく使用することができる。非円形断面を達成するもう一つの方法は、成長プレート上のナノチューブ成長を目的とする非円形の「シード」を使用することである。ナノチューブは、その長さに沿った緊密なナノチューブ束に整合されることにより、成長プレートにおいて得られた形状を保持する。
【０１０３】
光軸又は所定の湾曲位置に位置決めされた単数ナノチューブのみを含むナノチューブでさえ、上述の進歩的な特徴のいくつかを組み入れることができる。すでに上述したように、単数ガラスキャピラリ設計の複数のバージョンが、複数のアプリケーションに対して使用される。ナノチューブは、その滑らかな内部壁及び高い反射率ゆえに、多くの状況において良好な性能を与えることができる。したがって、ビームの断面及び発散が限定されることを要するアプリケーション、及び目下のところ直線状ガラスキャピラリを使用するアプリケーションは、直線状ナノチューブによって利益を得ることができる。このアプリケーションに対し、多壁及びコロッサル双方のナノチューブを使用することができる。
【０１０４】
単数回反射の合焦を目的として楕円体内表面を有するナノチューブを、選択された位置にありかつ望ましい方向にある内径段を適切に制御して円錐状ナノチューブを製造するべく上述した技術によって、製造することができる。当該ナノチューブ装置は、反射表面の滑らかさが向上しているので、楕円体ガラスキャピラリの合焦性能よりも優れている。
【０１０５】
本発明の好ましい一実施形態は、ナノチューブ技術を実装することにより構築された導波路である。直線状ナノチューブは、中心対称性及び十分な収束性を有するビームにより、導波路として機能し、かつ、共鳴ビーム結合を介して又は前方結合モードを介して有効に結合され得る。
【０１０６】
また、小さなθＣを有するナノチューブが、大きなθＣを有するナノチューブの内側に挿入されるようにして、２以上のナノチューブを集合化することもできる。この配列により、大きな角度収束性を有する入射ビームを利用することができる。
【０１０７】
装置の出口端は、単層及び多層ナノチューブの双方とも、さらなるビーム断面の低減を目的として減少する直径を有した狭まる円錐形状を有する。
【０１０８】
ナノチューブを素材として放射を導く様々な装置及び複数の技術的な手順が上述された。上述された有用かつ実装可能な、適切な自己集合化ナノ構造を基礎とする光学システムの詳細は、設計に、最適化に、並びにＸ線及び中性子を導く装置の構築に資する。新規な自己集合化手順及び構造は、上述の例の、当業者にとって明らかな修正例につながる。
【０１０９】
注目すべきことだが、用語「Ｘ線光子及び中性子」は、狭い態様に解釈するべきではない。本発明は、Ｘ線及び中性子の反射と同様の全外部反射メカニズムを示すすべてのタイプの荷電又は非荷電粒子に適用可能である。
【０１１０】
本発明の様々な実施形態の上記説明は、例示及び記載の目的で提示されている。本発明を開示された精密な実施形態に包括し又は限定することは意図されない。上述の教示に照らし、無数の修正例又は変形例が可能である。上述の実施形態は、本発明の原理及びその実際的な応用の最善の例示を与えるべく選択かつ説明され、これにより、当業者は、本発明を様々な実施形態において利用すること、及び意図される特定の用途に合う様々な修正例とともに利用することができる。かかる修正例及び変形例すべては、公正、合法的かつ公平な権利を与えられる範囲に従って解釈される場合に、添付の特許請求の範囲によって決定される本発明の範囲内にある。
【図１】
2014527629.tif 000004
【図２】
2014527629.tif 000005
【図３】
2014527629.tif 000006
【図４】
2014527629.tif 000007
【図５】
2014527629.tif 000008
【図６】
2014527629.tif 000009
【図７Ａ】
2014527629.tif 000010
【図７Ｂ】
2014527629.tif 000011
【図７Ｃ】
2014527629.tif 000012
【図８Ａ】
2014527629.tif 000013
【図８Ｂ】
2014527629.tif 000014
【図９】
2014527629.tif 000015
【図１０】
2014527629.tif 000016
【図１１】
2014527629.tif 000017
【図１２】
2014527629.tif 000018
【図１３】
2014527629.tif 000019
【図１４】
2014527629.tif 000020
【図１５】
2014527629.tif 000021
【国際調査報告】
2014527629.tif 000022
2014527629.tif 000023
2014527629.tif 000024
2014527629.tif 000025
2014527629.tif 000026